(57)【要約】【課題】本発明は、消費電力を抑制しつつ、映像の表示に必要な映像ウィンドウを容易に表示させることができるマルチディスプレイシステムを提供することを目的とする。【解決手段】本発明は、複数のディスプレイ１を配列して構成されたマルチディスプレイ５のうちの一部のみのディスプレイ１上に、表示すべき全ての映像ウィンドウを配置し表示させる、映像ウィンドウ配置手段９と、映像ウィンドウが表示されていないディスプレイ１の電源を制御する電源制御手段１１とを備える。【選択図】図１
2014010263.tif 000002
【特許請求の範囲】
【請求項１】
複数のディスプレイを配列して構成されたマルチディスプレイのうちの一部のみの前記ディスプレイ上に、表示すべき全ての映像ウィンドウを配置し表示させる、映像ウィンドウ配置および表示部と、
前記映像ウィンドウが表示されていない前記ディスプレイの電源を制御する電源制御部とを備えることを特徴とする、
マルチディスプレイシステム。
【請求項２】
前記映像ウィンドウ配置および表示部が、前記映像ウィンドウを拡大または縮小表示させることによって、前記一部のみのディスプレイ上に前記表示すべき全ての映像ウィンドウを配置可能とすることを特徴とする、
請求項１に記載のマルチディスプレイシステム。
【請求項３】
前記映像ウィンドウ配置および表示部が、あらかじめ選択された表示対象映像に対応する前記映像ウィンドウのみを、前記一部のみの前記ディスプレイ上に表示させることを特徴とする、
請求項１または２に記載のマルチディスプレイシステム。
【請求項４】
前記映像ウィンドウ配置および表示部が、低消費電力モードに応答して、当該低消費電力モード直前に前記マルチディスプレイ上に表示されていた前記映像ウィンドウを、前記一部のみの前記ディスプレイ上に表示させることを特徴とする、
請求項１または２に記載のマルチディスプレイシステム。
【請求項５】
前記映像ウィンドウ配置および表示部が、あらかじめ設定された前記映像ウィンドウのレイアウトに基づいて、前記一部のみの前記ディスプレイ上に前記表示すべき全ての映像ウィンドウを表示させることを特徴とする、
請求項１〜４のいずれかに記載のマルチディスプレイシステム。
【請求項６】
前記電源制御部が、前記映像ウィンドウが表示されていない前記ディスプレイの電源を切ることを特徴とする、
請求項１〜５のいずれかに記載のマルチディスプレイシステム。
【発明の詳細な説明】
【技術分野】
【０００１】
本発明は、複数のディスプレイを組み合わせて構成されたマルチディスプレイシステムに関するものである。
【背景技術】
【０００２】
複数のディスプレイを例えば格子状に配置し、１つの表示画面（ディスプレイ）を構成するマルチディスプレイシステムは、電力、交通、プラント等のインフラ分野の監視に用いる映像表示装置として広く活用されている。
【０００３】
また、このようなマルチディスプレイシステムでは、表示画面（ディスプレイ）上に同時に複数の映像を表示するために、複数の映像を任意の大きさ、位置、優先度で表示する映像信号処理装置を使用し、入力された映像信号から１または複数の映像を選択して映像表示装置に出力するのが一般的である。
【０００４】
近年、ディスプレイの大型化や高輝度化が進み、個々のディスプレイの消費電力が増加する中で、それらを複数組み合わせて構成するマルチディスプレイシステムの省電力化が課題となっている。
【０００５】
これに対する技術として従来は、ディスプレイの消費電力を低減するものとして、各ディスプレイの使用状況に応じてディスプレイの電源を個別に管理する技術があった。例えば、複数のディスプレイのうち、マウスポインタまたはアクティブ状態の映像ウィンドウが表示されていない状態が一定時間続いたディスプレイを、低消費電力モードに遷移させる技術があった（特許文献１参照）。
【先行技術文献】
【特許文献】
【０００６】
【特許文献１】特許第３８３１５３８号公報
【発明の概要】
【発明が解決しようとする課題】
【０００７】
監視用途等に用いられるマルチディスプレイシステムでは、単一の映像ウィンドウのみに映像を表示させるのではなく複数の映像ウィンドウに映像を表示させてマルチディスプレイ上で利用することが多い。このような運用形態である場合に特許文献１の技術を利用した場合、アクティブ状態の映像ウィンドウが表示されないディスプレイは低消費電力モードに遷移され、映像が非表示となってしまう。よって、ユーザが表示を必要とする全ての映像ウィンドウ（表示対象映像ウィンドウ）を常時表示状態にしておくためには、全ての映像ウィンドウを定期的にアクティブ状態にする作業が必要となるという問題があった。
【０００８】
また、マルチディスプレイシステムの利用形態として、通常時は全てのディスプレイを使用しできるだけ多くの映像を表示させるが、低消費電力モード時の運用として、表示に使用する映像ウィンドウの数や表示に使用するディスプレイの数を減らすことで消費電力を削減した運用を行う場合がある。この場合、個々のディスプレイの電源状態を手動で設定することにより前述のような低消費電力モード時の運用状態を実現することができるが、通常時と低消費電力モード時との運用状態を切り替える度にディスプレイの電源設定を行う必要があり、手間と時間を要するという問題があった。
【０００９】
本発明は、上記のような問題を解決するためになされたものであり、消費電力を抑制しつつ、映像の表示に必要な映像ウィンドウを容易に表示させることができるマルチディスプレイシステムを提供することを目的とする。
【課題を解決するための手段】
【００１０】
本発明の一態様に関するマルチディスプレイシステムは、複数のディスプレイを配列して構成されたマルチディスプレイのうちの一部のみの前記ディスプレイ上に、表示すべき全ての映像ウィンドウを配置し表示させる、映像ウィンドウ配置および表示部と、前記映像ウィンドウが表示されていない前記ディスプレイの電源を制御する電源制御部とを備えることを特徴とする。
【発明の効果】
【００１１】
本発明の上記態様によれば、表示すべき全ての映像ウィンドウを一部の映像ウィンドウに配置し表示させ、映像ウィンドウが表示されないディスプレイについて電源制御を行うことで、消費電力を抑制しつつ、映像の表示に必要な映像ウィンドウを適切に配置することができる。
【図面の簡単な説明】
【００１２】
【図１】本発明の実施形態に関するマルチディスプレイシステムの構成を示すブロック図である。
【図２】本発明の実施形態に関するディスプレイ情報管理手段で管理されるディスプレイ情報を示す図である。
【図３】本発明の実施形態に関するレイアウト情報管理手段で管理される映像ウィンドウレイアウト情報を示す図である。
【図４】本発明の実施形態に関するレイアウト情報管理手段で管理されるディスプレイ電源設定リストを示す図である。
【図５】本発明の実施形態に関する映像ウィンドウレイアウト作成手段の動作を示すフローチャートである。
【図６】本発明の実施形態に関するディスプレイ電源設定リスト作成手段の動作を示すフローチャートである。
【図７】本発明の実施形態に関する映像ウィンドウ描画領域とディスプレイ表示領域の重複判定の動作を示すフローチャートである。
【図８】本発明の実施形態に関する映像ウィンドウレイアウト作成時の動作を示すフローチャートである。
【図９】本発明の実施形態に関する映像ウィンドウレイアウトの例を示す図である。
【図１０】本発明の実施形態に関する映像ウィンドウレイアウト情報の例を示す図である。
【図１１】本発明の実施形態に関するディスプレイ電源設定リストの例を示す図である。
【図１２】本発明の実施形態に関する映像ウィンドウレイアウト作成時の動作を示すフローチャートである。
【図１３】本発明の実施形態に関する映像ウィンドウレイアウト作成時の表示対象映像ウィンドウ選択画面を示す図である。
【図１４】本発明の実施形態に関する映像ウィンドウレイアウトの作成例を示す図である。
【図１５】本発明の実施形態に関する映像ウィンドウレイアウト情報の例を示す図である。
【図１６】本発明の実施形態に関するディスプレイ電源設定リストの例を示す図である。
【図１７】本発明の実施形態に関するレイアウト切り替え時の動作を示すフローチャートである。
【発明を実施するための形態】
【００１３】
以下、添付の図面を参照しながら、本発明の実施形態について説明する。
【００１４】
＜第１実施形態＞
＜構成＞
図１は、第１実施形態に関するマルチディスプレイシステムの構成を示すブロック図である。図１に示されるようにマルチディスプレイシステムは、マルチディスプレイ５と、映像信号処理装置６と、制御装置７とを備えている。
【００１５】
マルチディスプレイ５は、複数のディスプレイ１〜４が例えば格子状に配列されたディスプレイ群であり、映像信号処理装置６で映像信号に基づいて生成された映像を、例えばＤＶＩケーブル等を介して受信し表示する。
【００１６】
ディスプレイ１〜４は、光源としてランプやＬＥＤ（Ｌｉｇｈｔ  Ｅｍｉｔｔｉｎｇ  Ｄｉｏｄｅ）を用いたＤＬＰ（Ｄｉｇｉｔａｌ  Ｌｉｇｈｔ  Ｐｒｏｃｅｓｓｉｎｇ）（登録商標）プロジェクタ方式や、液晶方式の表示装置であり、各ディスプレイは例えば横１９２０画素、縦１２００画素の解像度を有している。マルチディスプレイ５全体で３８４０×２４００画素のスクリーンサイズとなる。
【００１７】
映像信号処理装置６は、例えば複数の監視カメラの映像、および、ＰＣ等の出力映像に関する映像信号が入力され、これらの映像信号を任意の大きさの映像に拡大縮小等させて３８４０×２４００画素のマルチディスプレイ５上の任意の位置に映像ウィンドウとして表示する装置である。図１に示される例では、映像ウィンドウＡ〜Ｆが各映像ウィンドウに跨る場合を含めて配置されている様子が示されているが、実際は、映像信号処理装置６がディスプレイ１〜４に対してそれぞれ対応する１９２０×１２００画素分の映像を出力している。
【００１８】
制御装置７は、図１に示されるように、通信手段８と、映像ウィンドウ配置手段９と、レイアウト情報管理手段１０と、電源制御手段１１と、映像ウィンドウレイアウト作成手段１２と、ディスプレイ電源設定リスト作成手段１３とを備えている。なお制御装置７は、Ｍｉｃｒｏｓｏｆｔ社のＷｉｎｄｏｗｓ（登録商標）オペレーティングシステムやＬｉｎｕｘ（登録商標）オペレーティングシステムが動作し、ＲＳ−２３２ＣやＥｔｈｅｒｎｅｔ（登録商標）等の汎用通信インタフェースを備えるＰＣで実現できる。
【００１９】
通信手段８は、マルチディスプレイ５や映像信号処理装置６と通信し、ディスプレイ１〜４や映像信号処理装置６の状態監視や各種制御を行うものである。マルチディスプレイ５と映像信号処理装置６と制御装置７との間は、例えばＥｔｈｅｒｎｅｔ（登録商標）ケーブルにより接続することで相互通信を可能とする。
【００２０】
映像ウィンドウ配置手段９は、レイアウト情報管理手段１０で管理されている、映像ウィンドウのレイアウトを示す情報である映像ウィンドウレイアウト情報に基づいて、マルチディスプレイ５に映像ウィンドウを配置し表示させる。
【００２１】
レイアウト情報管理手段１０は、映像ウィンドウレイアウト作成手段１２で作成された映像ウィンドウレイアウト情報と、ディスプレイ電源設定リスト作成手段１３で作成された、各ディスプレイの電源設定を示すディスプレイ電源設定リストとを保存し管理する。
【００２２】
電源制御手段１１は、ディスプレイ電源設定リスト情報に基づいて、通信手段８を介してディスプレイ１〜４の電源制御を行う。
【００２３】
映像ウィンドウレイアウト作成手段１２は、マルチディスプレイ５に対する映像ウィンドウ配置を決定し、当該内容を映像ウィンドウレイアウト情報としてレイアウト情報管理手段１０に保存する。
【００２４】
ディスプレイ電源設定リスト作成手段１３は、レイアウト情報管理手段１０において管理される映像ウィンドウレイアウト情報に応じて、各ディスプレイの電源設定を示すディスプレイ電源設定リストを作成し、レイアウト情報管理手段１０に保存する。
【００２５】
ディスプレイ情報管理手段１４は、マルチディスプレイ５を構成するディスプレイ１〜４の位置やサイズ情報（ディスプレイ情報）を保存し管理する。また、表示対象とする映像ウィンドウを示す表示対象映像ウィンドウリスト、および、映像ウィンドウのレイアウトモードに関する情報である映像ウィンドウレイアウト作成モード情報を保存し管理することができる。
【００２６】
図２は、ディスプレイ情報管理手段１４で管理されるディスプレイ情報の例を示す図である。ディスプレイ情報は、ディスプレイ番号、ディスプレイオフセット、ディスプレイサイズで構成されている。ディスプレイオフセットは、例えば、マルチディスプレイ５全体の左上端の座標を（０，０）とした場合の各ディスプレイの左上端の座標であり、単位は画素である。
【００２７】
図３は、レイアウト情報管理手段１０において管理されている映像ウィンドウレイアウト情報の例を示す図である。映像ウィンドウレイアウト情報は、映像ウィンドウ番号、映像ウィンドウタイトル、映像ウィンドウ位置、映像ウィンドウサイズで構成されている。映像ウィンドウ番号は映像ウィンドウを識別する番号であり、映像ウィンドウ位置はマルチディスプレイ全体の表示領域に対する映像ウィンドウの左上端の座標である。なお、映像ウィンドウ位置と映像ウィンドウサイズの単位は画素である。
【００２８】
図４は、レイアウト情報管理手段１０において管理されているディスプレイ電源設定リストの例を示す図である。ディスプレイ電源設定リストは、ディスプレイ番号、電源状態情報で構成されている。ディスプレイ電源設定リストに含まれるディスプレイ番号は、ディスプレイ情報に含まれるディスプレイ番号と対応している。
【００２９】
＜映像ウィンドウレイアウト作成手段の動作＞
図５は、映像ウィンドウレイアウト作成手段１２の動作を示すフローチャートである。
【００３０】
まず映像ウィンドウレイアウト作成手段１２は、表示対象とする映像ウィンドウを示す表示対象映像ウィンドウリストをディスプレイ情報管理手段１４から取得する（ステップＳ５０１）。表示対象映像ウィンドウリストには、ユーザが必要とする映像を全て表示するために必要な映像ウィンドウが列挙されている。表示対象とする映像ウィンドウは任意に設定することができ、選択された映像ウィンドウ内で必要な映像が表示されていればよい。本実施形態では、すべての映像ウィンドウが表示対象映像ウィンドウとして列挙されている場合を説明する。
【００３１】
次に映像ウィンドウレイアウト作成手段１２は、ディスプレイ情報管理手段１４から映像ウィンドウレイアウト作成モード情報を取得する（ステップＳ５０２）。映像ウィンドウレイアウト作成モード情報には、例えば、映像ウィンドウの大きさを１つのディスプレイサイズの４分の１、９分の１、１６分の１等にリサイズして配置する（自動配置モード）等の、映像ウィンドウレイアウト作成に際しての設定事項が含まれている。このとき、新しい映像ウィンドウレイアウトは、少なくとも１つのディスプレイにおいて映像ウィンドウが配置されないようにする。
【００３２】
これら映像ウィンドウリスト、および、映像ウィンドウレイアウト作成モード情報は、映像ウィンドウレイアウト作成手段１２において動作を実行する前にユーザによって設定される情報であり、ディスプレイ情報管理手段１４に保存することができる。
【００３３】
次に映像ウィンドウレイアウト作成手段１２は、処理中の映像ウィンドウ番号を表すインデックスＩを１に初期化する（ステップＳ５０３）。そして映像ウィンドウレイアウト作成手段１２は、表示対象となる映像ウィンドウの数だけ、以下に述べるステップＳ５０４〜ステップＳ５０８を繰り返し行う。
【００３４】
まずステップＳ５０４では、インデックスＩの、作成する映像ウィンドウレイアウトにおける各映像ウィンドウの位置を設定する。ステップＳ５０４においては、設定されている映像ウィンドウレイアウト作成モードに応じてディスプレイの領域を区切った値を用いて、映像ウィンドウの位置を設定する。映像ウィンドウが配置されるディスプレイは、例えばディスプレイ番号の若いものから順に選択することができる。そして、該当ディスプレイ内に、例えば、左上から右下の方向に、右方向を優先に位置をずらしながら映像ウィンドウを並べて配置するような座標値を設定する。
【００３５】
次にステップＳ５０５では、インデックスＩにおける映像ウィンドウのサイズを設定する。ステップＳ５０５においては、設定されている映像ウィンドウレイアウト作成モードに応じてディスプレイ領域を４分の１、９分の１等に区切り、その大きさに合わせて映像ウィンドウサイズを設定する。
【００３６】
次にステップＳ５０６では、配置されたインデックスＩの映像ウィンドウの新しい映像ウィンドウレイアウト情報を、レイアウト情報管理手段１０に保存する。
【００３７】
次にステップＳ５０７では、処理中の映像ウィンドウ番号を表すインデックスＩに１を加える。
【００３８】
次にステップＳ５０８では、インデックスＩが表示対象映像ウィンドウ数を超えたか否かを判断する。表示対象映像ウィンドウ数を超えた場合（ＹＥＳ）、すなわち、表示対象となる映像ウィンドウ全ての映像ウィンドウレイアウト登録が終了している場合には、動作を終了する。一方で、表示対象映像ウィンドウ数を超えていない場合（ＮＯ）には、ステップＳ５０４へ戻る。
【００３９】
＜ディスプレイ電源設定リスト作成手段の動作＞
図６は、ディスプレイ電源設定リスト作成手段１３の動作を示すフローチャートである。
【００４０】
まずディスプレイ電源設定リスト作成手段１３は、映像ウィンドウレイアウト情報をレイアウト情報管理手段１０から取得する（ステップＳ６０１）。この映像ウィンドウレイアウト情報は、ディスプレイ電源設定リスト作成手段１３を呼び出す時点でマルチディスプレイ５の表示に適用されているものに限らず、レイアウト情報管理手段１０によって管理される全ての映像ウィンドウレイアウト情報の中から任意に選択できる。
【００４１】
次にディスプレイ電源設定リスト作成手段１３は、処理中のディスプレイ番号を表すインデックスＤを１に初期化する（ステップＳ６０２）。そしてディスプレイ電源設定リスト作成手段１３は、マルチディスプレイ５を構成する全てのディスプレイ１〜４に対して、以下に述べるステップＳ６０３〜ステップＳ６１０を繰り返し行う。
【００４２】
まずステップＳ６０３では、電源設定の対象であるインデックスＤのディスプレイの電源状態をＯＦＦ（非使用）として、ディスプレイ電源設定リストに登録する。
【００４３】
次にステップＳ６０４では、次に述べるステップＳ６０５で判断基準となる映像ウィンドウ番号を表すインデックスＩを１に初期化する。
【００４４】
そしてステップＳ６０５では、インデックスＩの映像ウィンドウの描画領域がインデックスＤのディスプレイの表示領域と重なっているかを判定する。インデックスＩの映像ウィンドウの描画領域がインデックスＤのディスプレイの表示領域と重なっている場合（ＹＥＳ）は、ステップＳ６０８に進み、インデックスＩの映像ウィンドウの描画領域がインデックスＤのディスプレイの表示領域と重なっていない場合（ＮＯ）は、ステップＳ６０６に進む。インデックスＩの映像ウィンドウとインデックスＤのディスプレイとの領域の重なりを判断する方法については、後述する。
【００４５】
ステップＳ６０８では、インデックスＤのディスプレイの電源状態をＯＮ（使用）としてディスプレイ電源設定リストに登録し、ステップＳ６０９へ進む。
【００４６】
ステップＳ６０６では、インデックスＩに１を加え、処理対象である映像ウィンドウを次の映像ウィンドウへと変更させる。そして、ステップＳ６０７へ進む。
【００４７】
ステップＳ６０７では、インデックスＩが表示対象映像ウィンドウ数を超えたか否かを判断する。超えている場合（ＹＥＳ）にはステップＳ６０９へ進み、超えていない場合（ＮＯ）にはステップＳ６０５へ戻る。
【００４８】
ステップＳ６０９では、インデックスＤに１を加え、ステップＳ６１０へ進む。
【００４９】
ステップＳ６１０では、インデックスＤがマルチディスプレイシステムを構成するディスプレイ数を超えているか否かを判断する。超えている場合（ＹＥＳ）には動作を終了し、超えていない場合（ＮＯ）には、ステップＳ６０３に戻る。
【００５０】
ステップＳ６０５でＮＯと判断された場合は、ディスプレイ電源設定リストの登録内容をＯＦＦ（非使用）のまま変更せず次のディスプレイの処理へと移り、映像ウィンドウレイアウトに含まれる全ての映像ウィンドウに対して順次処理していくことになる。
【００５１】
図７は、ステップＳ６０５において、インデックスＩの映像ウィンドウとインデックスＤのディスプレイとの領域の重なりを判断する手順を示したフローチャートである。
【００５２】
まずステップＳ７０１で、インデックスＩの映像ウィンドウの位置情報とサイズ情報とから得られる映像ウィンドウの描画領域の４頂点の座標が、インデックスＤのディスプレイの表示領域に含まれるかどうかを調べる。含まれると判断された場合（ＹＥＳ）はステップＳ７０４へ進み、含まれないと判断された場合（ＮＯ）はステップＳ７０２へ進む。
【００５３】
ステップＳ７０２では、インデックスＩの映像ウィンドウのサイズとインデックスＤのディスプレイのサイズとを、水平成分および垂直成分それぞれで比較する。そして、どちらの成分もディスプレイサイズより映像ウィンドウサイズの方が小さい場合はステップＳ７０５へ進み、いずれかの成分でディスプレイサイズより映像ウィンドウサイズの方が大きい場合はステップＳ７０３へ進む。
【００５４】
ステップＳ７０３では、インデックスＩの映像ウィンドウのサイズがインデックスＤのディスプレイのサイズより大きい成分方向（水平方向および垂直方向の少なくとも一方）において、映像ウィンドウ位置の座標値にディスプレイオフセットの値を足したものをその方向の新しい座標値とし、新しい座標値で示される点がディスプレイ領域内に含まれているかを調べる。どちらか１つの方向においてディスプレイ領域内に含まれていれば、ステップＳ７０４へ進み、いずれの方向においてもディスプレイ領域内に含まれていなければ、ステップＳ７０５へ進む。
【００５５】
ステップＳ７０４では、ステップＳ６０５の結果をＹＥＳとする、すなわち、インデックスＩの映像ウィンドウが、インデックスＤのディスプレイ領域内に含まれると判断する。そして動作を終了する。
【００５６】
ステップＳ７０５では、ステップＳ６０５の結果をＮＯとする、すなわち、インデックスＩの映像ウィンドウが、インデックスＤのディスプレイ領域内に含まれないと判断する。そして動作を終了する。
【００５７】
＜レイアウト作成動作＞
図８は、ユーザが映像ウィンドウレイアウトの作成指令を行う場合の制御装置７の動作を示すフローチャートである。
【００５８】
始めにステップＳ８０１で、制御装置７はユーザから映像ウィンドウレイアウト作成の指令を受け取る。特に限定はされないが、例えばマルチディスプレイシステムが低消費電力モードに設定される場合に、映像ウィンドウレイアウト作成の指令が実行されるようにしてもよい。
【００５９】
次にステップＳ８０２で、制御装置７は、ユーザに対し映像ウィンドウレイアウト作成モードを提示し、ユーザにいずれかのモードを選択させる。なお、映像ウィンドウレイアウト作成モードについては、あらかじめ設定された内容から選択する場合に限らず、ユーザが個々の内容を設定する場合であってもよい。
【００６０】
そしてステップＳ８０３で、制御装置７は、映像信号処理装置６に入力されている全ての映像信号に基づく映像を表示すべく、映像ウィンドウレイアウト作成手段１２において映像ウィンドウのレイアウトを示す映像ウィンドウレイアウト情報を作成させる。当該映像ウィンドウレイアウト情報は、ステップＳ８０２において選択または設定された映像ウィンドウレイアウト作成モードに基づいて作成される。このとき、新しい映像ウィンドウレイアウトは、少なくとも１つのディスプレイにおいて映像ウィンドウが配置されないようにする。また当該映像ウィンドウレイアウトは、表示対象映像ウィンドウを用いて作成される。
【００６１】
次にステップＳ８０４で、制御装置７は、映像ウィンドウレイアウト情報に基づき、映像ウィンドウ配置手段９により映像ウィンドウを配置させる。
【００６２】
次にステップＳ８０５で、制御装置７は、映像ウィンドウレイアウト情報に基づいて、ディスプレイ電源設定リスト作成手段１３によりディスプレイ電源設定リストを作成させる。当該ディスプレイ電源設定リストは、映像ウィンドウレイアウト情報から映像ウィンドウが配置されないディスプレイを参照し、当該ディスプレイについての電源を制御する（例えばＯＦＦにする）ことを指示するものである。
【００６３】
そしてステップＳ８０６で、制御装置７は、通信手段８によりディスプレイ１〜４と通信し、電源制御手段１１により、作成されたディスプレイ電源設定リストに基づいて各ディスプレイ１〜４の電源制御（例えば電源ＯＦＦ）を行う。
【００６４】
図９は、省電力化を目的とした、映像ウィンドウレイアウトの例を示す図である。この例では、映像信号処理装置６に８つの映像信号が入力されており、それぞれの映像信号に基づく映像を映像ウィンドウＡ〜Ｈという名前でマルチディスプレイ５上に表示可能な場合において、映像ウィンドウレイアウト作成モードを映像ウィンドウの大きさを１つのディスプレイサイズの４分の１にリサイズして配置する自動配置モードとし、映像ウィンドウをレイアウトしている。
【００６５】
ユーザが映像ウィンドウレイアウトの作成指令を実行すると、まず、映像ウィンドウレイアウト作成手段１２により、８つの映像ウィンドウの位置とサイズが映像ウィンドウレイアウト作成手段１２において作成された映像ウィンドウレイアウト情報に示される値（図１０に例示）に定められ、図９で示すような映像ウィンドウ配置でマルチディスプレイ５に表示される。図９においては、ディスプレイ１に映像ウィンドウＡ〜Ｄ、ディスプレイ２に映像ウィンドウＥ〜Ｈがそれぞれ配置され、ディスプレイ３およびディスプレイ４には、映像ウィンドウが配置されていない。
【００６６】
そして、ディスプレイ電源設定リスト作成手段１３で、映像ウィンドウが配置されていないディスプレイ３およびディスプレイ４については非使用領域と判断され、図１１で示されるようなディスプレイ電源設定リスト情報が作成される。その後、ステップＳ８０６において映像を表示しなくなったディスプレイ３およびディスプレイ４の電源が制御される（電源がＯＦＦ状態に設定される）。
【００６７】
このように、映像ウィンドウの配置によって映像を表示しないディスプレイを作り出し、当該ディスプレイの電源を制御することで、表示装置の消費電力を低くすることができる。また、表示装置の電源回路の負荷も小さくなるため、装置全体の長期使用に対する耐久性も向上する。
【００６８】
＜変形例＞
ディスプレイ１〜４が主電源ＯＮ状態、主電源ＯＦＦ状態以外に、スタンバイ状態や表示回路ＯＦＦ状態といった省電力状態を保つことができる動作状態を１つ以上有している場合、ディスプレイ電源設定リストの電源状態がＯＦＦとなっているディスプレイについて電源制御の実行内容をスタンバイ状態や表示回路ＯＦＦ状態等も選択できるようにすることで、様々な運用形態に対応することができる。
【００６９】
例えば、ディスプレイ電源設定リストの電源状態がＯＦＦとなっているディスプレイについて、主電源ＯＦＦ状態に設定すれば消費電力が大きく削減できる一方で、省電力状態（スタンバイ状態や表示回路ＯＦＦ状態等）に設定すれば、運用形態切り替え時の復帰時間が短いマルチディスプレイシステムが実現できる。
【００７０】
なお、上記実施形態では表示する各ディスプレイを固定していたが、必ずしも固定されたディスプレイに映像ウィンドウを表示する必要はなく、例えば映像ウィンドウレイアウトを作成する度にディスプレイを巡回させるように制御してもよい。この場合は、マルチディスプレイを構成するディスプレイの通電時間をほぼ一定にすることができるため、各ディスプレイの寿命をほぼ一定に保つことができる。
【００７１】
また、図９に示された例では表示する映像が２台のディスプレイ上にタイル表示されているが、１台のディスプレイ上に映像を重ね合わせて表示させてもよい。
【００７２】
また、上記実施形態では、映像ウィンドウを移動させ新たな映像ウィンドウレイアウトにすることで、マルチディスプレイ５のうちの一部のディスプレイに映像ウィンドウを表示させているが、新たな映像ウィンドウレイアウトにする前の段階で、既にマルチディスプレイ５のうちの一部のディスプレイに映像ウィンドウが表示されている場合には、映像ウィンドウを移動させずに映像ウィンドウレイアウトが作成されたものとすることができる。
【００７３】
＜効果＞
本発明に関する実施形態によれば、マルチディスプレイシステムは、複数のディスプレイ１を配列して構成されたマルチディスプレイ５のうちの一部のみのディスプレイ１上に、表示すべき全ての映像ウィンドウを配置し表示させる、映像ウィンドウ配置および表示部としての映像ウィンドウ配置手段９と、映像ウィンドウが表示されていないディスプレイ１の電源を制御する電源制御部としての電源制御手段１１とを備える。
【００７４】
このような構成によれば、表示すべき全ての映像ウィンドウを一部の映像ウィンドウに配置し表示させ、映像ウィンドウが表示されないディスプレイについて電源制御手段１１によって電源制御を行うことで、消費電力を抑制しつつ、映像の表示に必要な映像ウィンドウを適切に配置することができる。
【００７５】
また、映像ウィンドウ配置手段９および電源制御手段１１によって、自動的に映像ウィンドウを集約配置させ電源制御を行うことで、ユーザが省電力を考慮した映像ウィンドウ配置や個々のディスプレイ電源設定を手動で行うことなく、マルチディスプレイシステムの省電力化が実現できる。
【００７６】
また、本発明に関する実施形態によれば、映像ウィンドウ配置手段９が、映像ウィンドウを拡大または縮小表示させることによって、一部のみのディスプレイ上に表示すべき全ての映像ウィンドウを配置可能とする。
【００７７】
このような構成によれば、マルチディスプレイ５上で配置されていた映像ウィンドウを、その一部のディスプレイ上で適切に集約配置させることができる。
【００７８】
＜第２実施形態＞
次に、第２実施形態に関するマルチディスプレイシステムについて説明する。第１実施形態では、映像ウィンドウレイアウト作成時には映像信号処理装置６に入力されている全ての映像信号に基づく映像を一部のディスプレイ上に配置するように制御を行っていたが、本実施形態では、映像ウィンドウレイアウト作成時に表示対象とする全部でない映像ウィンドウ（一部のみの映像ウィンドウ）を選択する。すなわち、映像信号処理装置６に入力されている映像信号のうちの一部が、表示すべき全ての映像に相当しており、これらの映像に対応する映像ウィンドウを一部のディスプレイ上に配置する。ただし、選択される映像ウィンドウは、例えば低消費電力モード時において表示すべくあらかじめ選択されている映像信号に基づく映像を表示する映像ウィンドウである。なお、第２実施形態において、第１実施形態で説明したものと同様の構成要素については同一符号を付して説明は省略する。
【００７９】
本実施形態では、第１実施形態で説明した図８のレイアウト作成手順において、表示対象映像ウィンドウを、例えば低消費電力モード時において表示させる映像に対応させて選択する動作となる。
【００８０】
図１２は、ユーザが映像ウィンドウレイアウトの作成指令を行う場合の制御装置７の動作を示すフローチャートである。
【００８１】
ステップＳ８０１、ステップＳ８０３〜ステップＳ８０６については、図８において説明した場合と同様であるので、説明は省略する。
【００８２】
ステップＳ８０７では、制御装置７は、ユーザに対し映像ウィンドウレイアウト作成モードを提示し、ユーザにいずれかのモードを選択させる。ここで、ステップＳ８０３で映像ウィンドウレイアウト情報を作成するために用いる表示対象映像ウィンドウを、低消費電力モード時において表示させる映像に基づいて選択する。
【００８３】
表示対象映像ウィンドウは、例えば図１３に示されるようなチェックボックスを利用した選択画面を用いて選択することができる。図１３の例では、映像信号処理装置６に８つの映像信号が入力されており、それぞれの映像信号に基づく映像を映像ウィンドウＡ〜Ｈという名前でマルチディスプレイ５上に表示可能な場合に、ユーザが表示対象として映像ウィンドウＡ〜Ｅを選択した状態を示している。すなわち、低消費電力モード時においては、映像ウィンドウＡ〜Ｅに対応する映像を表示させ、映像ウィンドウＦ〜Ｈに対応する映像は表示させないという選択をする。
【００８４】
低消費電力モード時に表示させたい映像ウィンドウをユーザが任意に選択できることにより、利用形態に合わせた映像表示を実現できる。
【００８５】
＜効果＞
本発明に関する実施形態によれば、映像ウィンドウ配置手段９が、あらかじめ選択された表示対象映像に対応する映像ウィンドウのみを、一部のみのディスプレイ上に表示させる。
【００８６】
このような構成によれば、映像信号処理装置６に入力されている映像信号に基づく映像のうち、ユーザが表示を必要とする全ての映像を表示対象として一部のディスプレイ上に集約して表示させることができる。
【００８７】
＜第３実施形態＞
次に、第３実施形態に関するマルチディスプレイシステムについて説明する。第１実施形態では、映像ウィンドウレイアウト作成時には映像信号処理装置６に入力されている全ての映像信号に基づく映像を一部のディスプレイ上に配置するように制御を行っていたが、本実施形態では、映像ウィンドウレイアウト作成の直前、例えば低消費電力モードに切り替える直前にマルチディスプレイ上に表示されている映像ウィンドウを一部のディスプレイ上に配置するように制御する。すなわち、映像ウィンドウレイアウト作成の直前に表示されている映像が表示すべき全ての映像に相当しており、これらの映像を表示する映像ウィンドウを一部のディスプレイ上に配置する。なお、第３実施形態において、第１実施形態で説明したものと同様の構成要素については同一符号を付して説明は省略する。
【００８８】
本実施形態では、第１実施形態で説明した図８のレイアウト作成手順において、映像ウィンドウレイアウト作成の直前にマルチディスプレイ５に表示されている映像ウィンドウを、表示対象映像ウィンドウとする動作となる。また、同じく図８でいうステップＳ８０２で設定するレイアウト作成モードの種類として、現在表示している映像ウィンドウ配置をそのまま新しい映像ウィンドウレイアウトとして保存するレイアウト保存モードを設けることができる。
【００８９】
図１４は、本実施形態で映像ウィンドウレイアウト作成を実行した場合の、映像ウィンドウレイアウトの例を示す図である。なお、図１４（ａ）には、映像ウィンドウレイアウト作成前の映像ウィンドウの配置状態が示されており、図１４（ｂ）には、映像ウィンドウレイアウト作成後の映像ウィンドウの配置状態が示されている。
【００９０】
図１４では、映像信号処理装置６に８つの映像信号が入力されており、それぞれの映像を映像ウィンドウＡ〜Ｈという名前でマルチディスプレイ５上に表示可能な場合に、映像ウィンドウレイアウト作成モードを映像ウィンドウの大きさを１つのディスプレイサイズの４分の１にリサイズして配置する自動配置モードに設定してレイアウト作成を行っている。
【００９１】
まず、８種類の映像ウィンドウＡ〜Ｈのうち映像ウィンドウＡ〜Ｆが、図１４（ａ）で示されるような映像ウィンドウレイアウトで配置されている。ここでレイアウト作成指令を実行すると、まず、映像ウィンドウレイアウト作成手段１２により、映像ウィンドウの位置とサイズが図１５の映像ウィンドウレイアウト情報に示されるような値に変更され、図１４（ｂ）で示されるような配置で、映像ウィンドウがマルチディスプレイ５に表示される。
【００９２】
そして、ディスプレイ電源設定リスト作成手段１３でディスプレイ３およびディスプレイ４は非使用領域と判断され、図１６で示されるようなディスプレイ電源設定リスト情報が作成される。その後、映像を表示しなくなったディスプレイ３およびディスプレイ４の電源が制御される。
【００９３】
本実施形態では、映像ウィンドウレイアウト作成の直前に表示されている映像ウィンドウをそのまま低消費電力モード時の表示対象映像ウィンドウとできるため、既に表示している映像ウィンドウを集約表示させたい場合、映像ウィンドウの選択手順を省くことができる。
【００９４】
また映像ウィンドウレイアウトを保存するモードと組み合わせることで、任意の映像ウィンドウレイアウトに対してディスプレイの電源制御を実施できるため、ユーザが希望する映像ウィンドウレイアウトで省電力化を実現できる。
【００９５】
＜効果＞
本発明に関する実施形態によれば、映像ウィンドウ配置手段９が、低消費電力モードに応答して、当該低消費電力モード直前にマルチディスプレイ５上に表示されていた映像ウィンドウを、一部のみのディスプレイ上に表示させる。
【００９６】
このような構成によれば、既に表示している映像ウィンドウを集約表示させたい場合、映像ウィンドウの選択手順を省くことができる。
【００９７】
＜第４実施形態＞
次に、第４実施形態に関するマルチディスプレイシステムについて説明する。なお、第４実施形態において、第１実施形態で説明したものと同様の構成要素については同一符号を付して説明は省略する。
【００９８】
本実施形態では、あらかじめ例えば低消費電力モード時にディスプレイ上に配置する映像ウィンドウ、および、映像ウィンドウレイアウトをレイアウト情報管理手段１０に登録しておき、低消費電力モード時には当該情報に基づいて映像ウィンドウの配置やディスプレイの電源制御を行う。なお、映像ウィンドウレイアウトのみをあらかじめ登録しておく場合であっても適用可能である。
【００９９】
図１７は、登録された映像ウィンドウレイアウトへの切り替え指令をユーザから受け取った場合の制御装置７の動作を示すフローチャートである。
【０１００】
まずステップＳ１７０１で、制御装置７は、ユーザから映像ウィンドウレイアウト切り替え指令を受け取る。
【０１０１】
次にステップＳ１７０２で、制御装置７は、レイアウト情報管理手段１０からディスプレイ電源設定リストを読み込む。
【０１０２】
次にステップＳ１７０３で、制御装置７は、ディスプレイ電源設定リストに基づいて、通信手段８によりディスプレイ１〜４の電源制御を行う。
【０１０３】
次にステップＳ１７０４で、制御装置７は、レイアウト情報管理手段１０から映像ウィンドウレイアウト情報を読み込む。
【０１０４】
最後にステップＳ１７０５で、制御装置７は、映像ウィンドウレイアウト情報に基づいて、映像ウィンドウ配置手段９によって映像ウィンドウを配置させる。
【０１０５】
本実施形態では、表示する映像ウィンドウの種類、表示パターン、各ディスプレイの電源設定に関する情報を登録先から読み込み、映像ウィンドウの配置やディスプレイの電源制御を行うことができ、運用形態の変更を容易に行うことができる。なお上記の動作において、ディスプレイ電源設定リストを読み込んでディスプレイの電源制御を行う動作より先に、映像ウィンドウレイアウト情報を読み込んで映像ウィンドウを配置させる動作を行ってもよい。
【０１０６】
＜効果＞
本発明に関する実施形態によれば、映像ウィンドウ配置手段９が、あらかじめ設定された映像ウィンドウのレイアウトに基づいて、一部のみのディスプレイ上に表示すべき全ての映像ウィンドウを表示させる。
【０１０７】
このような構成によれば、映像ウィンドウレイアウトとディスプレイの電源設定情報を対にしたレイアウト情報を活用することで、マルチディスプレイシステムの運用形態の切り替え（例えば通常モードと低消費電力モード）を容易に行うことができる。
【０１０８】
なお本発明は、その発明の範囲内において、各実施形態の自由な組み合わせ、あるいは各実施形態の任意の構成要素の変形、もしくは各実施形態において任意の構成要素の省略が可能である。
【符号の説明】
【０１０９】
１〜４  ディスプレイ、５  マルチディスプレイ、６  映像信号処理装置、７  制御装置、８  通信手段、９  映像ウィンドウ配置手段、１０  レイアウト情報管理手段、１１  電源制御手段、１２  映像ウィンドウレイアウト作成手段、１３  ディスプレイ電源設定リスト作成手段、１４  ディスプレイ情報管理手段。
【図１】
2014010263.tif 000003
【図２】
2014010263.tif 000004
【図３】
2014010263.tif 000005
【図４】
2014010263.tif 000006
【図５】
2014010263.tif 000007
【図６】
2014010263.tif 000008
【図７】
2014010263.tif 000009
【図８】
2014010263.tif 000010
【図９】
2014010263.tif 000011
【図１０】
2014010263.tif 000012
【図１１】
2014010263.tif 000013
【図１２】
2014010263.tif 000014
【図１３】
2014010263.tif 000015
【図１４】
2014010263.tif 000016
【図１５】
2014010263.tif 000017
【図１６】
2014010263.tif 000018
【図１７】
2014010263.tif 000019